(57)【要約】【課題】  部品品種を増加させることなく器具本体からの出射光の配光を変えることのできる照明器具を提供する。【解決手段】  照明器具１は、長尺の基板２４の一面２４ａ側に設けられた発光素子２５を有する発光体４と、発光体４が表面１７ａ側または裏面１７ｂ側に設けられる矩形状の底板部１７、底板部１７の短手方向両側から底板部１７の表面１７ａ側で互いに対向するように延設された一対の側板部１８，１８および一対の側板部１８，１８のそれぞれの端部に設けられた取付片部１９を有する基板取付部材３と、基板取付部材３を収納する器具本体２と、器具本体２内の底面９に設けられた基板取付部材３を固定可能に構成された固定手段６とを具備している。【選択図】図３
2014002860.tif 000002
【特許請求の範囲】
【請求項１】
長尺の基板およびこの基板の一面側に設けられた発光素子を有する発光体と；
この発光体が表面側または裏面側に設けられる矩形状の底板部、この底板部の短手方向両側から前記表面側で互いに対向するように延設された一対の側板部およびこの一対の側板部のそれぞれの端部に設けられた取付片部を有する基板取付部材と；
開口および底面を有する箱形に形成され、前記基板取付部材を収納する器具本体と；
前記器具本体内の底面に設けられた前記基板取付部材を固定可能に構成された固定手段と；
を具備していることを特徴とする照明器具。
【請求項２】
固定手段は、平坦状の取付部を有し、前記器具本体内の底面において前記器具本体内の少なくとも両端部側にそれぞれ設けられた受台と、前記器具本体の開口に前記発光体が対向するように前記受台の取付部に前記基板取付部材の底板部および取付片部を固定する取付手段とにより構成されていることを特徴とする請求項１記載の照明器具。
【請求項３】
前記基板取付部材は、一対の側板部が反射面を有することを特徴とする請求項１または２記載の照明器具。
【請求項４】
前記基板取付部材は、一対の側板部が拡開するように設けられていることを特徴とする請求項１ないし３いずれか一記載の照明器具。
【発明の詳細な説明】
【技術分野】
【０００１】
本発明の実施形態は、基板に光源としての発光素子が実装された発光体を具備する照明器具に関する。
【背景技術】
【０００２】
天井等の造営物に設置される照明器具には、発光素子としてのＬＥＤ素子が長尺の基板に実装されたＬＥＤモジュール（発光体）が使用されている。このＬＥＤモジュールは、高熱伝導率を有する金属例えばアルミニウム（Ａｌ）からなる放熱板に設置されている。この放熱板は、器具本体内に配設されている。ＬＥＤ素子に発生した熱は、放熱板を介して器具本体に熱伝導させて放熱させている。
【０００３】
そして、放熱板には、器具本体の底面と略同面積である矩形状の底面板と、この底面板の短手方向の端部に長辺（長手方向）に沿って立設された側面板を備えているものがある。その底面板の表面側に、複数個のＬＥＤモジュールが長手方向に並べられて、ねじによって固定されている。そして、器具本体の底面における長手方向の両端部には、コ字状の受台が設けられている。放熱板は、その底面板が受台にねじによって固定されている（例えば特許文献１参照。）。ここで、放熱板は、ＬＥＤ素子の放射光を反射する反射板を兼ねている。そして、ＬＥＤ素子を点灯する点灯装置は、器具本体の底面の受台間に配設されている。
【０００４】
ところで、ビルディングなどの建物においては、断面Ｔ字型のバー状部材で組んだ天井枠に照明器具や設備機器などを落とし込むシステム天井が用いられている。このシステム天井に組み込まれる照明器具において、ＬＥＤモジュールの器具本体の底面からの高さ（位置）を変えて、器具本体から出射される放射光の配光を変えることが行われている。すなわち、ＬＥＤモジュールの高さ変更に応じて、器具本体の底面に、底面からの高さが異なる受台を設けている。また、ＬＥＤモジュールに高さ違いのある係止片などの取付金具を設けて、この取付金具を器具本体に取り付けている。また、器具本体に高さ違いのある係止孔を設けて、この係止孔にＬＥＤモジュールの係止片を係止させている。
【先行技術文献】
【特許文献】
【０００５】
【特許文献１】特開２０１０−２７７９２４号公報（第４頁、第１図）
【発明の概要】
【発明が解決しようとする課題】
【０００６】
器具本体にＬＥＤモジュールの高さ変更に応じた受台を設けるようにすると、複数種の受台が必要となり、部品品種が増加する。また、ＬＥＤモジュールに高さ違いのある係止片などの取付金具を設けると、複数種の放熱板が必要となり、同じく部品品種が増加する。また、器具本体に高さ違いのある係止孔を設けてＬＥＤモジュールの係止片を係止させる構成は、照明器具の構造を複雑にさせる。上記いずれにおいても、照明器具をコストアップさせるという欠点を有する。
【０００７】
本発明の実施形態は、部品品種を増加させることなく器具本体からの出射光の配光を変えることのできる照明器具を提供することを目的とする。
【課題を解決するための手段】
【０００８】
実施形態の照明器具は、発光体、基板取付部材、器具本体および固定手段を具備して構成される。
【０００９】
発光体は、長尺の基板および発光素子を有して形成される。発光素子は、基板の一面側に設けられる。
【００１０】
基板取付部材は、底板部、一対の側板部および取付片部を有して形成される。底板部は、矩形状に形成され、その表面側または裏面側のいずれかに発光体が設けられる。一対の側板部は、底板部の短手方向両側から底板部の表面側で互いに対向するように延設されて形成される。取付片部は、一対の側板部のそれぞれの端部に設けられる複数個からなる。
【００１１】
器具本体は、開口および底面を有する箱形に形成されている。そして、基板取付部材を収納するように形成される。
【００１２】
固定手段は、基板取付部材を器具本体内の底面に固定可能に構成されている。
【発明の効果】
【００１３】
本発明の実施形態によれば、発光体を基板取付部の底板部の表面側または裏面側に設けて、基板取付部材を器具本体内の底面に固定することにより、発光体の器具本体の底面からの高さ（位置）が異なるので、受台や基板取付部材を替えることなく、器具本体の開口から出射される放射光の配光を変えられることが期待できる。
【図面の簡単な説明】
【００１４】
【図１】本発明の一実施形態を示す照明器具であり、（ａ）は概略正面図、（ｂ）は概略下面図である。
【図２】同上照明器具の一部下面図である。
【図３】同上、図２のＡ−Ａ矢視方向の概略断面図である。
【図４】同上照明器具の配光図である。
【図５】同上照明器具の基板取付部材を反転使用した状態を示す一部下面図である。
【図６】同上、図５のＢ−Ｂ矢視方向の概略断面図である。
【発明を実施するための形態】
【００１５】
以下、本発明の一実施の形態について、図面を参照して説明する。
【００１６】
本実施形態の照明器具１は、図１に示すように、器具本体２、基板取付部材３、発光体４、固定手段としての受台５およびねじ６を有して構成される。ねじ６は、基板取付部材３を受台５に固定する取付手段を構成している。この照明器具１は、システム天井に組み込まれるものであり、図１（ａ）に示すように、器具本体２がＴバー７に設置されている。器具本体２には、Ｔバー７からの落下を防止する落下防止金具２Ａが一対（図中、１個のみを示す。）が設けられている。
【００１７】
器具本体２は、金属板例えば冷間圧延鋼板により、図１（ｂ）に示すように、開口８および底面９を有する正方形の箱形に形成されている。そして、外枠１０，１１および内枠１２により、３個の光源収納部１３が均等に形成されている。この光源収納部１３に基板取付部材３および発光体４からなる光源ユニット１４が収納されている。本実施形態では、両側の光源収納部１３，１３に光源ユニット１４，１４がそれぞれ収納されている。中間の光源収納部１３は、閉塞板１５により閉塞されている。
【００１８】
器具本体２内の底面９には、各光源収納部１３の長手方向の両端部側に一対の受台５，５が設けられている。光源ユニット１４は、一対の受台５，５に取り付けられている。また、底面９には、一対の受台５，５に点灯装置１６（図３に示す。）が設けられている。
【００１９】
なお、器具本体２は、その開口８側に光源ユニット１４からの光を制御するバッフルを適宜設けてもよい。
【００２０】
図２において、基板取付部材３は、発光体４を取り付ける取付板であるとともに、発光体４からの熱を放熱させる放熱板である。また、反射板も兼ねる。基板取付部材３は、高熱伝導性を有する金属板例えば厚さ１．２ｍｍのアルミニウム（Ａｌ）板からなり、型枠または折曲、打ち抜き等により、底板部１７、一対の側板部１８，１８および複数個の取付片部１９に形成されている。
【００２１】
底板部１７は、一対の受台５，５に設置可能な全長を有する矩形状に形成されている。そして、底板部１７は、その長手方向両端にそれぞれ四角形状の切り欠き２０が形成され、その長手方向中央部に四角形状の開口２１が形成されている。また、底板部１７は、その長手方向の両端側にそれぞれ取付け孔２２（図５に示す。）が設けられている。本実施形態では、それぞれ一対の取付け孔２２，２２が形成されている。それぞれの一対の取付け孔２２，２２は、基板取付部材３を一対の受台５，５に取り付ける取付手段を構成する。
【００２２】
一対の側板部１８，１８は、図３に示すように、底板部１７の短手方向両側から底板部１７の表面１７ａ側で互いに対向するように延設されている。また、一対の側板部１８，１８は、互いに正対して拡開するように設けられ、底板部１７に対してそれぞれ所定の角度で傾斜している。所定の角度は、底板部１７に対して９０°ないし１６０°の範囲内で適宜に設定される。
【００２３】
また、一対の側板部１８，１８は、研磨等により反射面に形成されている。この反射面は、少なくとも底板部１７の表面１７ａ側に面する側に形成されていればよい。
【００２４】
取付片部１９は、図２に示すように、基板取付部材３の長手方向両端側にそれぞれ一対設けられている。すなわち、取付片部１９は、一対の側板部１８，１８のそれぞれの端部から延在して設けられ、端部から外方に突出する四角形に形成されている。また、取付片部１９は、図３に示すように、底板部１７と平行に形成されている。そして、取付片部１９には、取付け孔２３が設けられている。この取付け孔２３は、基板取付部材３を一対の受台５，５に取り付ける取付手段を構成する。
【００２５】
発光体４は、基板２４および発光素子としてのＬＥＤ素子２５を有するＬＥＤモジュールに形成されている。基板２４は、長尺であって、平板状の金属板例えば厚さ１．０ｍｍのアルミニウム（Ａｌ）板からなり、一面２４ａに図示しない絶縁層を介してＬＥＤ素子２５を実装している。ＬＥＤ素子２５は、図２に示すように、基板２４の長手方向に等間隔に本実施形態では２列に設けられており、列毎に図示しない配線パターンにより直列接続されている。また、基板２４の長手方向両端側には、それぞれコネクタ２６が配設されている。このコネクタ２６は、図示しない配線パターンにより直列接続されたＬＥＤ素子２４に接続されている。基板２４の長手方向両端には、それぞれ四角形状の切り欠き部２７が形成されている。
【００２６】
ＬＥＤ素子２５は、パッケージ品であり、所定の色光例えば白色光を放射するものが用いられている。
【００２７】
そして、本実施形態では、２個の発光体４が基板取付部材３の底板部１７に、その長手方向に沿って設けられている。発光体４は、その基板２４が底板部１７の表面１７ａに図示しないねじにより取り付けられている。このとき、基板２４の切り欠き部２７，２７は、底板部１７に形成された切り欠き部２０および開口２１に位置している。そして、底板部１７の長手方向中央部において、２個の発光体４，４は、それぞれのコネクタ２６，２６に接続されたリード線２８により電気接続されている。リード線２８は、開口２１側に弛んでいる。
【００２８】
そして、底板部１７の切り欠き部２０，２０側に位置するコネクタ２６，２６には、点灯装置１６から導出された出力線２９，２９がそれぞれ接続されている。この接続は、通常、基板取付部材３が一対の受台５，５に取り付けられた後に行われる。
【００２９】
発光体４は、点灯装置１６から所定の電流が供給されることにより、そのＬＥＤ素子２５が点灯（発光）して白色光を放射する。点灯装置６は、外部の交流電源（例えばＡＣ１００Ｖ）を入力すると、出力線２９，２９を介して発光体４に所定の電流を出力するように、既知の構成により形成されている。
【００３０】
なお、基板２４は、ガラスエポキシ材などの合成樹脂板やセラミックス板であってもよい。また、基板取付部材３の底板部１７には、２個の基板２４が設けられるに限らず、３個または４個以上が設けられてもよい。また、発光体４は、底板部１７に１個の基板２４が設けられるように形成されていてもよい。
【００３１】
そして、底板部１７には、発光体４を内包するように、保護カバー３０が取り付けられている。保護カバー３０は、透光性の合成樹脂例えばアクリル樹脂からなり、図３に示すように、断面半円状の筒体に形成されている。そして、保護カバー３０の長手方向両端は、側板３１により閉塞されている。また、保護カバー３０の長手方向両端には、図２に示すように、略凹形の底面３２が設けられている。保護カバー３０は、底面３２側に図示しない取付金具が設けられている。この取付金具に基板２４の裏面２４ｂ側（図３に示す。）からねじが取り付けられている。これにより、保護カバー３０は、底板部１７の表面１７ａに取り付けられている。なお、このねじによる取付けは、基板取付部材３の底板部１７が一対の受台５，５に取り付けられた後に行われる。底板部１７には、ねじを挿通する挿通孔３３および取付金具を底面３２に設けるために用いたねじを干渉させない逃げ孔３４が設けられている。
【００３２】
受台５は、金属板例えば冷間圧延鋼板により、図３に示すように、平坦状の取付部３５、この取付部３５の長手方向両端からそれぞれ垂下する脚部３６，３６およびこの脚部３６，３６から取付部３５と平行となって外側に突出する固定部３７，３７に形成されている。そして、固定部３７，３７は、器具本体２内の底面９に溶接または図示しないねじにより取り付けられている。これにより、受台５は、器具本体２内の器具収納部１３の底面９において、その長手方向の両端部側にそれぞれ設けられている。
【００３３】
取付部３５には、基板取付部材３の底板部１７に形成された取付け孔２２，２２に対応するタップ付きのねじ孔３８，３８と、固定片部１９，１９に形成された取付け孔２３，２３に対応するタップ付きのねじ孔３９，３９が設けられている。ねじ孔３８，３９は、受台５に基板取付部材３を固定する取付手段を構成する。
【００３４】
そして、底板部１７の表面１７ａ側から取付け孔２２，２２にそれぞれ挿通されたねじ６，６がそれぞれ取付部３５のねじ孔３８，３８に完全に螺着されている。これにより、基板取付部材３は、一対の受台５，５に固定されている。そして、底板部１７の表面１７ａ側に設けられた発光体４は、器具本体２の開口８に対向している。
【００３５】
発光体４から放射された放射光（白色光）は、器具本体２の開口８から被照射面である床面側に出射される。発光体４は、基板取付部材３の底板部１７に設けられ、一対の側板部１８，１８の基端部に位置するので、器具本体２の開口８から出射される放射光は、図４（ａ）に示すように、集光されて床面側を照明する。
【００３６】
上述したように、基板取付部材３の底板部１７の表面１７ａ側に発光体４を設けて、底板部１７を一対の受台５，５に固定することにより、発光体４が器具本体２内の底面９側（深部側）に位置する照明器具１が形成される。
【００３７】
そして、上述と同様にして、発光体４を底板部１７の裏面１７ｂ側に設けるとともに、基板取付部材３の本実施形態では４個の取付片部１９を一対の受台５，５に固定することにより、図５に示すように、別の照明器具１Ａが形成される。
【００３８】
基板取付部材３は、図６に示すように、その取付片部１９の取付け孔２３にねじ６が挿通されて、受台５の取付部３５のねじ孔３９に完全に螺着されている。発光体４は、器具本体２の開口８側に位置して、開口８に対向している。保護カバー３０は、基板取付部材３を一対の受台５，５に固定する前に、底板部１７への取付けが行える。
【００３９】
器具本体２の開口８から出射される放射光は、発光体４が器具本体２の開口８側に位置して、基板取付部材３の一対の側板部１８，１８に囲まれないので、図４（ｂ）に示すように、広配光となって床面側を照明する。
【００４０】
このように、基板取付部材３の底板部１７の裏面１７ｂ側に発光体４を設けて、複数個の取付片１９を一対の受台５，５に固定することにより、発光体４が器具本体２の開口８側に位置する照明器具１Ａが形成される。
【００４１】
次に、本発明の実施形態の作用について述べる。
【００４２】
照明器具１，１Ａにおいて、点灯装置１６に外部電源が投入されると、点灯装置１６が動作し、点灯装置１６から出力線２９，２９を介して所定の電流が発光体４，４に供給される。発光体４のＬＥＤ素子２５が点灯し、ＬＥＤ素子２５から白色光が放射される。この放射光は、器具本体２の開口８から出射し、床面側を照明する。
【００４３】
そして、照明器具１は、発光体４が器具本体２内の底面９側に位置され、発光体４がその長手方向において基板取付部材３の一対の側板部１８，１８に囲まれているので、ＬＥＤ素子２５から放射された放射光は、その広がり光が一対の側板部１８，１８で反射されて、一対の側板部１８，１８の内側に集光される。これにより、器具本体２の開口８から図４（ａ）に示す集光的な放射光が出射されて、床面側が照明される。
【００４４】
そして、一対の側板部１８，１８は、底板部１７の表面１７ａから拡開するように設けられているので、一対の側板部１８，１８に反射された反射光が一対の側板部１８，１８でさらに反射を繰り返すことが抑制されて、器具本体２の開口８から出射するので、反射光の光損失が低減され、発光体４からの放射光が高効率で器具本体２の開口８から出射する。また、一対の側板部１８，１８は、反射面に形成されているので、反射面に入射した光が効率よく反射され、反射による光損失が低減される。
【００４５】
また、照明器具１Ａは、発光体４が器具本体２の開口８側に位置され、発光体４の周囲は器具本体２に囲まれている。したがって、ＬＥＤ素子２５から放射された放射光は、その広がり光が遮れることなく、器具本体２の開口８から出射される。これにより、器具本体２の開口８から図４（ｂ）に示す広配光の放射光が出射されて、床面側が照明される。
【００４６】
そして、照明器具１，１Ａは、発光体４が基板取付部材３の底板部１７の表面１７ａ側または裏面１７ｂ側に設けられ、底板部１７または取付片部１９が一対の受台５，５に固定されることにより、それぞれ構成可能となっている。すなわち、受台５，５や基板取付部材３を替えないで、１つの基板取付部材３を表裏反転させて用いることにより、発光体４の器具本体２の底面９からの位置（高さ）が異なる照明器具１，１Ａを形成できる。
【００４７】
本実施形態によれば、１つの基板取付部材３を使用し、発光体４を基板取付部材３の底板部１７の表面１７ａ側または裏面１７ｂ側に設けるとともに、基板取付部材１７の底板部１７または複数個の取付片部１９を一対の受台５，５の取付部３５に固定することにより、発光体４の器具本体２の底面９からの位置（高さ）が異なるので、一対の受台５，５および基板取付部材３を替えることなく、器具本体２の開口８から出射される放射光の配光を変えられる照明器具１，１Ａを形成できるという効果を有する。また、基板取付部材３の表裏反転の固定に対して、器具本体２の開口８にルーバー等のアクセサリを取り付けるなどの対応の自由度を向上させることができるという効果を有する。
【００４８】
また、基板取付部材３は、底板部１７の表面１７ａから延設される一対の側板部１８，１８が拡開するように形成されているので、発光体４から放射された放射光が器具本体２の開口８側に反射され易くなり、反射による光損失が低減され、これにより、器具本体２の開口８から効率的に放射光を出射できるという効果を有する。
【００４９】
また、基板取付部材３は、一対の側板部１８，１８が反射面に形成されているので、一対の側板部１８，１８に入射する光が効率よく反射されて、反射による光損失を低減することができ、これにより、器具本体２の開口８からさらに効率的に放射光を出射できるという効果を有する。
【００５０】
なお、本実施形態において、照明器具１，１Ａは、その器具本体２がシステム天井に組み込まれる構成に形成したが、これに限らず、基板取付部材３および発光体４からなる光源ユニット１４を例えば１個具備するものであってもよい。また、受台５は、器具本体２内の長手方向の両端部側に設けられるに加えて、その長手方向の中間にも設けられてもよい。基板取付部材３の全長が大きい場合には、基板取付部材３は、安定して信頼性よく受台５に支持される。
【００５１】
また、発光素子として、ＬＥＤ素子を用いたが、有機エレクトロルミネセンス素子などを用いてもよい。
【００５２】
また、点灯装置１６は、器具本体２内の底面９に設けたが、別置または器具本体２の外面側などの他の部位に設けてもよい。
【００５３】
また、本実施形態において、基板取付部材３は、一対の受台５，５に固定するように構成したが、これに限らず、ねじ６などの固定手段により、器具本体２内の底面９に直接的に固定するようにしてもよく、底面９に設置した部材に固定するように構成してもよいものである。
【符号の説明】
【００５４】
１，１Ａ…照明器具、  ２…器具本体、３…基板取付部材、４…発光体、  ５…固定手段としての受台、  ６…固定手段および取付手段としてのねじ、  ８…開口、  ９…底面、  １７…底板部、  １８，１８…一対の側板部、  １９…取付片部、  ２２，２３…取付手段としての取付け孔、  ２４…基板、  ２５…発光素子としてのＬＥＤ素子、  ３８，３９…取付手段としてのねじ孔、  ３５…取付部
【図１】
2014002860.tif 000003
【図２】
2014002860.tif 000004
【図３】
2014002860.tif 000005
【図４】
2014002860.tif 000006
【図５】
2014002860.tif 000007
【図６】
2014002860.tif 000008